(57)【特許請求の範囲】
【請求項１】
ワイヤレスデバイスを動作させる方法において、
第１のノードとの接続識別子を選択することと、
前記接続識別子に関係付けられている割り振られたリソースエレメント上で、スケジューリング制御信号を受信することと、
前記受信したスケジューリング制御信号に基づいて、前記接続識別子に関係付けられている同じ割り振られたリソースエレメント上で送信している第２のノードの存在を決定することと、
送信しない意図を前記第１のノードに通知すること
を含み、前記スケジューリング制御信号は、前記第２のノードとのデータ送信をスケジューリングするためのものであり、送信優先順位ブロック、送信要求ブロック、または受信要求ブロックにおける前記割り振られたリソースエレメント上で受信され、前記スケジューリング制御信号を受信することは、送信する意図を前記第２のノードから受信することを含む方法。
【請求項２】
前記接続識別子に関係付けられている同じ割り振られたリソースエレメント上で送信している前記第２のノードの存在を決定し次第、前記接続識別子の衝突を決定することをさらに含む請求項１記載の方法。
【請求項３】
前記接続識別子の衝突を決定し次第、前記接続識別子とは異なる新しい接続識別子を選択することをさらに含む請求項２記載の方法。
【請求項４】
前記接続識別子の衝突を決定することは、前記受信したスケジューリング制御信号のエネルギーがしきい値よりも大きいことに基づいている請求項２記載の方法。
【請求項５】
前記接続識別子の衝突を決定することは、
前記受信したスケジューリング制御信号のエネルギーが前記しきい値よりも大きいか否かを決定することと、
前記エネルギーが前記しきい値よりも大きいと決定されたときに、前記接続識別子の衝突を決定することとを含む請求項４記載の方法。
【請求項６】
前記送信しない意図は、前記同じ割り振られたリソースエレメント上で送信しないことによって通信され、および、前記送信する意図は、前記同じ割り振られたリソースエレメント上で送信することによって通信される請求項１記載の方法。
【請求項７】
ワイヤレスデバイスを動作させる方法において、
第１のノードとの接続識別子を選択することと、
前記接続識別子に関係付けられている割り振られたリソースエレメント上で、スケジューリング制御信号を受信することと、
前記受信したスケジューリング制御信号に基づいて、前記接続識別子に関係付けられている同じ割り振られたリソースエレメント上で送信している第２のノードの存在を決定することと、
送信しない意図を前記第１のノードから受信することと、
送信要求を前記第１のノードに送信しないことを決定することと、
を含み、前記スケジューリング制御信号は、前記第２のノードとのデータ送信をスケジューリングするためのものであり、送信優先順位ブロック、送信要求ブロック、または受信要求ブロックにおける前記割り振られたリソースエレメント上で受信され、
前記スケジューリング制御信号を受信することは、送信要求を前記第２のノードから受信することを含む方法。
【請求項８】
ワイヤレスデバイスを動作させる方法において、
第１のノードとの接続識別子を選択することと、
前記接続識別子に関係付けられている割り振られたリソースエレメント上で、データ確認信号を受信することと、
前記受信したデータ確認信号に基づいて、前記接続識別子に関係付けられている同じ割り振られたリソースエレメント上で送信している第２のノードの存在を決定することとを含む方法。
【請求項９】
データを受信または送信しないことをさらに含み、
前記受信したデータ確認信号は、ハイブリッド自動再送要求肯定応答または否定応答である請求項８記載の方法。
【請求項１０】
前記接続識別子に関係付けられている同じ割り振られたリソースエレメント上で送信している前記第２のノードの存在を決定し次第、前記接続識別子の衝突を決定することをさらに含む請求項８記載の方法。
【請求項１１】
前記接続識別子の衝突を決定し次第、前記接続識別子とは異なる新しい接続識別子を選択することをさらに含む請求項１０記載の方法。
【請求項１２】
前記接続識別子の衝突を決定することは、前記受信したデータ確認信号のエネルギーがしきい値よりも大きいことに基づいている請求項１０記載の方法。
【請求項１３】
前記接続識別子の衝突を決定することは、
前記データ確認信号のエネルギーが前記しきい値よりも大きいか否かを決定することと、
前記エネルギーが前記しきい値よりも大きいと決定されたときに、前記接続識別子の衝突を決定することとを含む請求項１２記載の方法。
【請求項１４】
ワイヤレス通信のための装置において、
第１のノードとの接続識別子を選択する手段と、
前記接続識別子に関係付けられている割り振られたリソースエレメント上で、スケジューリング制御信号を受信する手段と、
前記受信したスケジューリング制御信号に基づいて、前記接続識別子に関係付けられている同じ割り振られたリソースエレメント上で送信している第２のノードの存在を決定する手段と、
送信しない意図を前記第１のノードに通知する手段と
を具備し、前記スケジューリング制御信号は、前記第２のノードとのデータ送信をスケジューリングするためのものであり、送信優先順位ブロック、送信要求ブロック、または受信要求ブロックにおける前記割り振られたリソースエレメント上で受信され、
前記スケジューリング制御信号を受信する手段は、送信する意図を前記第２のノードから受信する装置。
【請求項１５】
前記接続識別子に関係付けられている同じ割り振られたリソースエレメント上で送信している前記第２のノードの存在を決定し次第、前記接続識別子の衝突を決定する手段をさらに具備する請求項１４記載の装置。
【請求項１６】
前記接続識別子の衝突を決定し次第、前記接続識別子とは異なる新しい接続識別子を選択する手段をさらに具備する請求項１５記載の装置。
【請求項１７】
前記接続識別子の衝突を決定する手段は、前記受信したスケジューリング制御信号のエネルギーがしきい値よりも大きいことに基づいて前記決定を行う請求項１５記載の装置。
【請求項１８】
前記接続識別子の衝突を決定する手段は、
前記受信したスケジューリング制御信号のエネルギーが前記しきい値よりも大きいか否かを決定する手段と、
前記エネルギーが前記しきい値よりも大きいと決定されたときに、前記接続識別子の衝突を決定する手段とを備える請求項１７記載の装置。
【請求項１９】
前記送信しない意図は、前記同じ割り振られたリソースエレメント上で送信しないことによって通信され、および、前記送信する意図は、前記同じ割り振られたリソースエレメント上で送信することによって通信される請求項１４記載の装置。
【請求項２０】
送信しない意図を前記第１のノードから受信する手段と、
送信要求を前記第１のノードに送信しないことを決定する手段とをさらに具備し、
前記スケジューリング制御信号を受信する手段は、送信要求を前記第２のノードから受信する請求項１４記載の装置。
【請求項２１】
ワイヤレス通信のための装置において、
第１のノードとの接続識別子を選択する手段と、
前記接続識別子に関係付けられている割り振られたリソースエレメント上で、データ確認信号を受信する手段と、
前記受信したデータ確認信号に基づいて、前記接続識別子に関係付けられている同じ割り振られたリソースエレメント上で送信している第２のノードの存在を決定する手段とを具備する装置。
【請求項２２】
データを受信または送信しない手段をさらに具備し、
前記受信したデータ確認信号は、ハイブリッド自動再送要求肯定応答または否定応答である請求項２１記載の装置。
【請求項２３】
前記接続識別子に関係付けられている同じ割り振られたリソースエレメント上で送信している前記第２のノードの存在を決定し次第、前記接続識別子の衝突を決定する手段をさらに具備する請求項２１記載の装置。
【請求項２４】
前記接続識別子の衝突を決定し次第、前記接続識別子とは異なる新しい接続識別子を選択する手段をさらに具備する請求項２３記載の装置。
【請求項２５】
前記接続識別子の衝突を決定する手段は、前記受信したデータ確認信号のエネルギーがしきい値よりも大きいことに基づいて前記決定を行う請求項２３記載の装置。
【請求項２６】
前記接続識別子の衝突を決定する手段は、
前記データ確認信号のエネルギーが前記しきい値よりも大きいか否かを決定する手段と、
前記エネルギーが前記しきい値よりも大きいと決定されたときに、前記接続識別子の衝突を決定する手段とを備える請求項２５記載の装置。
【請求項２７】
第１のノードとの接続識別子を選択し、
前記接続識別子に関係付けられている割り振られたリソースエレメント上で、スケジューリング制御信号を受信し、
前記受信したスケジューリング制御信号に基づいて、前記接続識別子に関係付けられている同じ割り振られたリソースエレメント上で送信している第２のノードの存在を決定し、
送信しない意図を前記第１のノードに通知するためのコンピュータで実行可能なコードを含み、前記スケジューリング制御信号は、前記第２のノードとのデータ送信をスケジューリングするためのものであり、送信優先順位ブロック、送信要求ブロック、または受信要求ブロックにおける前記割り振られたリソースエレメント上で受信され、
前記スケジューリング制御信号を受信するためのコードは、送信する意図を前記第２のノードから受信するワイヤレスデバイスにおける
コンピュータ読み取り可能記憶媒体。
【請求項２８】
前記接続識別子に関係付けられている同じ割り振られたリソースエレメント上で送信している前記第２のノードの存在を決定し次第、前記接続識別子の衝突を決定するためのコードをさらに含む請求項２７記載のコンピュータ読み取り可能記憶媒体。
【請求項２９】
前記接続識別子の衝突を決定し次第、前記接続識別子とは異なる新しい接続識別子を選択するためのコードをさらに含む請求項２８記載のコンピュータ読み取り可能記憶媒体。
【請求項３０】
前記接続識別子の衝突を決定するためのコードは、前記受信したスケジューリング制御信号のエネルギーがしきい値よりも大きいことに基づいて前記決定を行う請求項２８記載のコンピュータ読み取り可能記憶媒体。
【請求項３１】
前記接続識別子の衝突を決定するためのコードは、
前記受信したスケジューリング制御信号のエネルギーが前記しきい値よりも大きいか否かを決定し、
前記エネルギーが前記しきい値よりも大きいと決定されたときに、前記接続識別子の衝突を決定するためのコードを含む請求項３０記載のコンピュータ読み取り可能記憶媒体。
【請求項３２】
前記送信しない意図は、前記同じ割り振られたリソースエレメント上で送信しないことによって通信され、および、前記同じ割り振られたリソースエレメント上で送信することによって通信される請求項２７記載のコンピュータ読み取り可能記憶媒体。
【請求項３３】
送信しない意図を前記第１のノードから受信し、
送信要求を前記第１のノードに送信しないことを決定するためのコードをさらに含み、
前記スケジューリング制御信号を受信するためのコードは、送信要求を前記第２のノードから受信する請求項２７記載のコンピュータ読み取り可能記憶媒体。
【請求項３４】
第１のノードとの接続識別子を選択し、
前記接続識別子に関係付けられている割り振られたリソースエレメント上で、データ確認信号を受信し、
前記受信したデータ確認信号に基づいて、前記接続識別子に関係付けられている同じ割り振られたリソースエレメント上で送信している第２のノードの存在を決定するためのコンピュータで実行可能なコードを含むワイヤレスデバイスにおけるコンピュータ読み取り可能記憶媒体。
【請求項３５】
データを受信または送信しないためのコードをさらに含み、
前記受信したデータ確認信号は、ハイブリッド自動再送要求肯定応答または否定応答である請求項３４記載のコンピュータ読み取り可能記憶媒体。
【請求項３６】
前記接続識別子に関係付けられている同じ割り振られたリソースエレメント上で送信している前記第２のノードの存在を決定し次第、前記接続識別子の衝突を決定するためのコードをさらに含む請求項３４記載のコンピュータ読み取り可能記憶媒体。
【請求項３７】
前記接続識別子の衝突を決定し次第、前記接続識別子とは異なる新しい接続識別子を選択するためのコードをさらに含む請求項３６記載のコンピュータ読み取り可能記憶媒体。
【請求項３８】
前記接続識別子の衝突を決定するためのコードは、前記受信したデータ確認信号のエネルギーがしきい値よりも大きいことに基づいて前記決定を行う請求項３６記載のコンピュータ読み取り可能記憶媒体。
【請求項３９】
前記接続識別子の衝突を決定するためのコードは、
前記データ確認信号のエネルギーが前記しきい値よりも大きいか否かを決定し、
前記エネルギーが前記しきい値よりも大きいと決定されたときに、前記接続識別子の衝突を決定するためのコードを含む請求項３８記載のコンピュータ読み取り可能記憶媒体。
【請求項４０】
ワイヤレス通信のための装置において、
第１のノードとの接続識別子を選択し、
前記接続識別子に関係付けられている割り振られたリソースエレメント上で、スケジューリング制御信号を受信し、
前記受信したスケジューリング制御信号に基づいて、前記接続識別子に関係付けられている同じ割り振られたリソースエレメント上で送信している第２のノードの存在を決定し、
送信しない意図を前記第１のノードに通知し、
前記スケジューリング制御信号を受信するために、前記処理システムは、送信する意図を前記第２のノードから受信
するように構成され、前記スケジューリング制御信号は、前記第２のノードとのデータ送信をスケジューリングするためのものであり、送信優先順位ブロック、送信要求ブロック、または受信要求ブロックにおける前記割り振られたリソースエレメント上で受信される処理システムを具備する装置。
【請求項４１】
前記処理システムは、前記接続識別子に関係付けられている同じ割り振られたリソースエレメント上で送信している前記第２のノードの存在を決定し次第、前記接続識別子の衝突を決定するようにさらに構成されている請求項４０記載の装置。
【請求項４２】
前記処理システムは、前記接続識別子の衝突を決定し次第、前記接続識別子とは異なる新しい接続識別子を選択するようにさらに構成されている請求項４１記載の装置。
【請求項４３】
前記接続識別子の衝突を決定するために、前記処理システムは、前記受信したスケジューリング制御信号のエネルギーがしきい値よりも大きいことに基づいて前記決定を行うように構成されている請求項４１記載の装置。
【請求項４４】
前記接続識別子の衝突を決定するために、前記処理システムは、
前記受信したスケジューリング制御信号のエネルギーが前記しきい値よりも大きいか否かを決定し、
前記エネルギーが前記しきい値よりも大きいと決定されたときに、前記接続識別子の衝突を決定するように構成されている請求項４３記載の装置。
【請求項４５】
前記送信しない意図は、前記同じ割り振られたリソースエレメント上で送信しないことによって通信され、および、前記送信する意図は、前記同じ割り振られたリソースエレメント上で送信することによって通信される請求項４０記載の装置。
【請求項４６】
前記処理システムは、
送信しない意図を前記第１のノードから受信し、
送信要求を前記第１のノードに送信しないことを決定するようにさらに構成されており、
前記スケジューリング制御信号を受信するために、前記処理システムは、送信要求を前記第２のノードから受信するように構成されている請求項４０記載の装置。
【請求項４７】
ワイヤレス通信のための装置において、
第１のノードとの接続識別子を選択し、
前記接続識別子に関係付けられている割り振られたリソースエレメント上で、データ確認信号を受信し、
前記受信したデータ確認信号に基づいて、前記接続識別子に関係付けられている同じ割り振られたリソースエレメント上で送信している第２のノードの存在を決定するように構成されている処理システムを具備する装置。
【請求項４８】
前記処理システムは、データを受信または送信しないようにさらに構成されており、
前記受信したデータ確認信号は、ハイブリッド自動反復要求肯定応答または否定応答である請求項４７記載の装置。
【請求項４９】
前記処理システムは、前記接続識別子に関係付けられている同じ割り振られたリソースエレメント上で送信している前記第２のノードの存在を決定し次第、前記接続識別子の衝突を決定するようにさらに構成されている請求項４７記載の装置。
【請求項５０】
前記処理システムは、前記接続識別子の衝突を決定し次第、前記接続識別子とは異なる新しい接続識別子を選択するようにさらに構成されている請求項４９記載の装置。
【請求項５１】
前記接続識別子の衝突を決定するために、前記処理システムは、前記受信したデータ確認信号のエネルギーがしきい値よりも大きいことに基づいて前記決定を行うように構成されている請求項４９記載の装置。
【請求項５２】
前記接続識別子の衝突を決定するために、前記処理システムは、
前記データ確認信号のエネルギーが前記しきい値よりも大きいか否かを決定し、
前記エネルギーが前記しきい値よりも大きいと決定されたときに、前記接続識別子の衝突を決定するように構成されている請求項５１記載の装置。
【発明の詳細な説明】
【分野】
【０００１】
本開示は、一般的に、通信システムに関する。さらに詳細に述べると、ピアツーピアネットワークにおけるリソース衝突の、検出および解決に関する。
【背景】
【０００２】
任意の態様で到来したり離れたりする通信リンクを持つ（ＦｌａｓｈＬｉｎＱのような）タイムスロット型アドホックネットワークでは、リンクにおけるピアが、リンクの存在を他のリンクにシグナリングし、共通の競合解決フェーズに参加するために、接続識別子（ＣＩＤ）のようなリソースがリンクに割り当てられる。したがって、２つのリンクが、十分に遠く離れていない限り、同じＣＩＤリソースを使用しない（すなわち、２つのリンクが、互いのシグナリングと干渉しない）ことが重要である。しかしながら、同じＣＩＤリソースを共有しているリンクが互いにより近づくように移動する場合、または、リンクが、近くのリンクによって使用されるＣＩＤリソースを選択するしか選択肢がない場合、リンクは、ＣＩＤの衝突を経験するかもしれない。ＦｌａｓｈＬｉｎＱでは、ＣＩＤの衝突は、ＣＩＤの衝突の、１秒以内に、または、より長い時間内に検出されるかもしれない。しかしながら、ＣＩＤの衝突を検出するための、より高速な方法が必要である。
【概要】
【０００３】
本開示の態様では、ワイヤレスデバイスを動作させる方法を提供する。この方法では、第１のノードとのＣＩＤが、選択される。加えて、スケジューリング制御信号が、ＣＩＤに関係付けられているリソース上で受信される。さらに、ＣＩＤに関係付けられている同じリソース上で送信している第２のノードの存在は、受信されたスケジューリング制御信号に基づいて検出される。
【０００４】
本開示の態様では、ワイヤレスデバイスを動作させる方法を提供する。この方法では、第１のノードとのＣＩＤが、選択される。加えて、データ確認信号が、ＣＩＤに関係付けられているリソース上で受信される。さらに、ＣＩＤに関係付けられている同じリソース上で送信している第２のノードの存在は、受信されたデータ確認信号に基づいて検出される。
【図面の簡単な説明】
【０００５】
【図１】図１は、処理システムを用いている装置のハードウェアインプリメンテーションの例を図示しているダイヤグラムである。
【図２】図２は、例示的なワイヤレスピアツーピア通信システムの図である。
【図３】図３は、ワイヤレス通信デバイス間でのピアツーピア通信のための時間構造を図示しているダイヤグラムである。
【図４】図４は、１つのグランドフレームにおけるスーパーフレームの各フレーム中のチャネルを図示しているダイヤグラムである。
【図５】図５は、雑多なチャネルの動作タイムラインと、ＣＩＤブロードキャストの構造とを図示しているダイヤグラムである。
【図６】図６は、トラフィックチャネルスロットの動作タイムラインと、リンクスケジューリングの構造とを図示しているダイヤグラムである。
【図７Ａ】図７Ａは、ワイヤレス通信デバイスのための例示的な接続スケジューリングシグナリングスキームを説明する第１のダイヤグラムである。
【図７Ｂ】図７Ｂは、ワイヤレス通信デバイスのための例示的な接続スケジューリングシグナリングスキームを説明する第２のダイヤグラムである。
【図８Ａ】図８Ａは、ＣＩＤの衝突を検出するための例示的な方法を説明する第１のダイヤグラムである。
【図８Ｂ】図８Ｂは、ＣＩＤの衝突を検出するための例示的な方法を説明する第２のダイヤグラムである。
【図９】図９は、ワイヤレス通信の方法のフローチャートである。
【図１０】図１０は、ワイヤレス通信の別の方法のフローチャートである。
【図１１】図１１は、例示的な装置の機能性を図示している概念ブロックダイヤグラムである。
【図１２】図１２は、別の例示的な装置の機能性を図示している概念ブロックダイヤグラムである。
【詳細な説明】
【０００６】
添付図面に関連して以下に示した詳細な説明は、さまざまな構成の説明として意図されており、ここで記述した概念を実施し得る構成のみを表すことを意図しているのではない。詳細な説明は、さまざまな概念の完全な理解を提供する目的で、特定の詳細な説明を含んでいる。しかしながら、これらの特定の詳細な説明がなくても、これらの概念を実施し得ることは、当業者に明らかになるであろう。いくつかの事例では、このような概念が不明瞭になることを回避するために、良く知られている構造およびコンポーネントは、ブロックダイヤグラムの形態で示している。
【０００７】
さまざまな装置および方法を参照して、これから、通信システムのいくつかの態様を提示する。（まとめて“エレメント”と呼ばれる）さまざまなブロック、モジュール、コンポーネント、回路、ステップ、プロセス、アルゴリズム等によって、これらの装置および方法を以下の詳細な説明中で記述し、添付図面において図示している。これらのエレメントは、電子ハードウェア、コンピュータソフトウェア、あるいはこれらの任意の組み合わせを使用して実現してもよい。このようなエレメントが、ハードウェアまたはソフトウェアとして実現されるか否かは、システム全体に課せられている、特定のアプリケーションおよび設計制約に依存する。
【０００８】
例として、エレメント、またはエレメントの何らかの一部分、またはエレメントの何らかの組み合わせは、１つ以上のプロセッサを備えている“処理システム”で実現してもよい。プロセッサの例は、マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、状態機械、ゲート論理、ディスクリートハードウェア回路、本開示全体で記述したさまざまな機能性を実行するように構成されている他の適したハードウェアを含む。処理システムにおける１つ以上のプロセッサは、ソフトウェアを実行してもよい。ソフトウェア、ファームウェア、ミドルウェア、マイクロコード、ハードウェア記述言語と呼ばれようと呼ばれなかろうと、またはその他のもので呼ばれようと呼ばれなかろうと、ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、手順、関数等を意味すると広く解釈すべきである。ソフトウェアは、コンピュータ読み取り可能媒体上に存在していてもよい。コンピュータ読み取り可能媒体は、例として、磁気記憶デバイス（例えば、ハードディスク、フロッピー（登録商標）ディスク、磁気ストライプ）、光ディスク（例えば、コンパクトディスク（ＣＤ）、デジタル汎用性ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバルディスク、搬送波、伝送回線、およびソフトウェアを記憶または送信する他の何らかの適した媒体を含んでいてもよい。コンピュータ読み取り可能媒体は、処理システム中に、処理システムの外部に存在してもよく、または、処理システムを含む複数のエンティティ全体にわたって分散させてもよい。コンピュータ読み取り可能媒体は、コンピュータプログラムプロダクト中で具現化されていてもよい。例として、コンピュータプログラムプロダクトは、パッケージングマテリアル中にコンピュータ読み取り可能媒体を含んでいてもよい。システム全体に課せられている、特定のアプリケーションおよび全体的な設計制約に依存して、本開示全体を通して提示した、記述した機能性をどのように実現するのが最良であるかを、当業者は認識するだろう。
【０００９】
図１は、処理システム１１４を用いている装置１００のハードウェアインプリメンテーションの例を図示している概念ダイヤグラムである。装置１００は、当業者によって、ユーザ機器、移動局、加入者局、移動体ユニット、加入者ユニット、ワイヤレスユニット、ワイヤレスノード、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアントと呼ばれることもあり、または他の何らかの適した専門用語で呼ばれることもある。処理システム１１４は、概してバス１０２によって表されているバスアーキテクチャにより実現してもよい。バス１０２は、処理システム１１４の特定のアプリケーションと、全体的な設計制約とに依存して、任意の数の相互接続しているバスおよびブリッジを含んでいてもよい。バス１０２は、概してプロセッサ１０４によって表されている１つ以上のプロセッサと、概してコンピュータ読み取り可能媒体１０６によって表されているコンピュータ読み取り可能媒体とを含むさまざまな回路を結合する。バス１０２は、タイミングソース、周辺装置、電圧調整器、および電力管理回路のような、さまざまな他の回路も結合してもよい。これらの回路は、技術的によく知られているので、これ以上記述しない。バスインターフェース１０８は、バス１０２とトランシーバ１１０との間のインターフェースを提供する。トランシーバ１１０は、送信媒体を通して、さまざまな他の装置と通信する手段を提供する。
【００１０】
プロセッサ１０４は、バス１０２と、コンピュータ読み取り可能媒体１０６上に記憶されているソフトウェアの実行を含む汎用処理とを管理することを担っている。ソフトウェアは、プロセッサ１０４によって実行されるときに、任意の特定の装置について以下で記述したさまざまな機能を処理システム１１４に実行させる。コンピュータ読み取り可能媒体１０６は、ソフトウェアを実行するときにプロセッサ１０４によって操作されるデータを記憶するために使用されてもよい。
【００１１】
図２は、例示的なワイヤレスピアツーピア通信システム２００の図である。ワイヤレスピアツーピア通信システム２００は、複数のワイヤレス通信デバイス１００を含む。例えば、デバイス７のようなワイヤレス通信デバイス１００のうちのいくつかは、インターネットおよび／または他のネットワークノードへのインターフェース２３０を備える。ワイヤレス通信デバイス１００のうちのいくつかは、ハンドヘルド移動体デバイスのような移動体ワイヤレス通信デバイスであってもよい。ワイヤレス通信デバイス１００は、ダイレクトなピアツーピア通信をサポートする。
【００１２】
以下で説明する例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）に基づくワイヤレスピアツーピア通信システムのような、さまざまなワイヤレスピアツーピア通信システム、または、ＩＥＥＥ８０２．１１標準規格に基づくＷｉ−Ｆｉ（登録商標）のいずれにも適用可能である。説明を簡単にするために、図３、図４、図５、図６Ａ、および図６Ｂに関連するＦｌａｓｈＬｉｎＱの文脈内で、例示的な方法および装置を説明する。しかしながら、例示的な方法および装置は、より広く、さまざまな他のワイヤレスピアツーピア通信システムに適用可能であることを、当業者は理解するだろう。
【００１３】
図３は、ワイヤレス通信デバイス１００間でのピアツーピア通信のための時間構造を図示しているダイヤグラム３００である。ウルトラフレームは、５１２秒であり、６４個のメガフレームを含む。各メガフレームは、８秒であり、８個のグランドフレームを含む。各グランドフレームは、１秒であり、１５個のスーパーフレームを含む。各スーパーフレームは、おおよそ６６．６７ｍｓであり、３２個のフレームを含む。各フレームは、２．０８３３ｍｓである。
【００１４】
図４は、１つのグランドフレームにおけるスーパーフレームの各フレーム中のチャネルを図示しているダイヤグラム４００である。（インデックス０を持つ）第１のスーパーフレームでは、フレーム０は、予約済チャネル（ＲＣＨ）であり、フレーム１−１０は、それぞれ、雑多なチャネル（ＭＣＣＨ）であり、フレーム１１−３１は、それぞれ、トラフィックチャネル（ＴＣＣＨ）である。（インデックス１：６を持つ）第２ないし第７のスーパーフレームでは、フレーム０は、ＲＣＨであり、フレーム１−３１は、それぞれ、ＴＣＣＨである。（インデックス７を持つ）第８のスーパーフレームでは、フレーム０は、ＲＣＨであり、フレーム１−１０は、それぞれ、ＭＣＣＨであり、フレーム１１−３１は、それぞれ、ＴＣＣＨである。（インデックス８：１４を持つ）第９ないし第１５のスーパーフレームでは、フレーム０は、ＲＣＨであり、フレーム１−３１は、それぞれ、ＴＣＣＨである。スーパーフレームインデックス０のＭＣＣＨは、二次タイミング同期チャネルと、ピア発見チャネルと、ピアページチャネルと、予約済スロットとを含む。スーパーフレームインデックス７のＭＣＣＨは、ピアページチャネルと、予約済スロットとを含む。ＴＣＣＨは、接続スケジューリングと、パイロットと、チャネル品質インジケータ（ＣＱＩ）フィードバックと、データセグメントと、肯定応答（ＡＣＫ）とを含む。
【００１５】
図５は、ＭＣＣＨの動作タイムラインと、ＣＩＤブロードキャストの構造とを図示しているダイヤグラム５００である。図４に関連して説明したように、スーパーフレームのインデックス０のＭＣＣＨは、二次タイミング同期チャネルと、ピア発見チャネルと、ピアページングチャネルと、予約済スロットとを含む。スーパーフレームインデックス０のＭＣＣＨにおけるピアページングチャネルは、クイックページングチャネルと、ＣＩＤブロードキャストチャネルと、ページ要求チャネルとを含む。スーパーフレームインデックス７のＭＣＣＨは、ピアページングチャネルと、予約済スロットとを含む。スーパーフレームインデックス７のＭＣＣＨにおけるピアページングチャネルは、ページ応答チャネルと、ページ確認チャネルとを含む。ＣＩＤブロードキャストチャネルは、新しい接続のためにＣＩＤの割り振りのための分散プロトコルを提供し、ＣＩＤの衝突の検出のためのメカニズムを提供し、通信ピアとのそのリンク接続が依然として存在するワイヤレスノードエビデンスを提供する。
【００１６】
ＣＩＤブロードキャストの構造は、４つのブロックからなり、これらのブロックのそれぞれは、複数のリソースエレメントを、すなわち、周波数領域中では複数の副搬送波を、そして時間領域中では直交周波数分割多重化（ＯＦＤＭ）シンボルを含む。４つのブロックのそれぞれは、複数の副搬送波（例えば、２８本の副搬送波）に及び、１６個のＯＦＤＭシンボルを含む。１つのリソースエレメント（すなわち、トーン）は、１つの副搬送波と、１つのＯＦＤＭシンボルとに対応している。
【００１７】
ＣＩＤごとに、隣接リソースエレメントのペアが、４つのブロックのそれぞれにおいて、ＣＩＤブロードキャストのために割り振られる。隣接リソースエレメントのペアでは、第１のリソースエレメントが、ＴＣＣＨ中で送信するために使用される電力に比例しているエネルギーを運び、第２のリソースエレメントが、ＴＣＣＨ中で受信される電力に反比例しているエネルギーを運ぶ。所定のＣＩＤでは、リソースエレメントの各ペアは、固定されたＯＦＤＭシンボル位置と、各グランドフレームを変える、ブロック内の変動副搬送波とを持つ。任意の所定のリンクでは、リンクを開始したワイヤレスノードが、ＣＩＤブロードキャストのために、ブロック０およびブロック２からブロックをランダムに選択し、リンク中の他のワイヤレスノードが、ＣＩＤブロードキャストのために、ブロック１およびブロック３からブロックをランダムに選択する。したがって、特定のＣＩＤに対して、割り振られているリソースの半分のみが、そのＣＩＤを有するリンクによって利用される。ブロックのランダムな選択に起因して、異なるリンクにおける第３のワイヤレスノードまたは第４のワイヤレスノードが、第１のワイヤレスノードまたは第２のワイヤレスノードによって選択されるブロックとは異なるブロックを使用してＣＩＤブロードキャストを送信するとき、第２のワイヤレスノードとのリンクにおける第１のワイヤレスノードは、ＣＩＤの衝突を検出できるだろう。
【００１８】
例えば、ＣＩＤ＝４を持つワイヤレスノードが、ＣＩＤブロードキャストのためにブロック０を選択すると仮定する。ワイヤレスノードは、ＣＩＤブロードキャストのために、リソースエレメント５０２、５０４が割り振られてもよい。リソースエレメント５０２では、ワイヤレスノードが、ＴＣＣＨ中で送信するために使用される電力に比例するエネルギーを送信する。リソースエレメント５０４では、ワイヤレスノードが、ＴＣＣＨ中で受信した電力に反比例するエネルギーを送信する。後続のグランドフレームでは、ワイヤレスノードは、異なる副搬送波を持つが、同じ相対的ＯＦＤＭシンボル位置（すなわち、この例では、選択されたブロックの、第１および第２のＯＦＤＭシンボル）を持つリソースエレメントの異なるペアを有してもよい。
【００１９】
図６は、ＴＣＣＨスロットの動作タイムラインと、リンクスケジューリングの構造とを図示しているダイヤグラム６００である。図６中で示されているように、ＴＣＣＨスロットは、４つのサブチャネル：接続スケジューリング、レートスケジューリング、データセグメント、およびＡＣＫを含む。レートスケジューリングサブチャネルは、パイロットセグメントとＣＱＩセグメントとを含む。ＡＣＫサブチャネルは、データセグメントサブチャネル中で受信されたデータに応答して、ハイブリッド自動再送要求（ＨＡＲＱ）肯定応答（ＡＣＫ）または否定応答（ＮＡＣＫ）を送信するためのものである。接続スケジューリングサブチャネルは、２つのブロックを、すなわち、より高い優先順位のブロックＨと、より低い優先順位のブロックＬとを含む。ブロックＨおよびブロックＬのそれぞれは、複数のリソースエレメントを、すなわち、周波数領域中では複数の副搬送波を、そして時間領域中ではＯＦＤＭシンボルを含む。ブロックＨおよびブロックＬのそれぞれは、複数の副搬送波に及び、Ｔｘｐ−ブロック中の４つのＯＦＤＭシンボルと、Ｔｘ−ブロック中の４つのＯＦＤＭシンボルと、Ｒｘ−ブロック中の４つのＯＦＤＭシンボルとを含む。１つのリソースエレメント（すなわち、トーン）は、１つの副搬送波と１つのＯＦＤＭシンボルとに対応する。
【００２０】
各リンクは、ＣＩＤを有する。ＣＩＤに基づいて、特定のＴＣＣＨスロットに対して、リンクにおけるワイヤレスノードには、ブロックＨまたはブロックＬ内の、特定の副搬送波における、Ｔｘｐ−ブロック、Ｔｘ−ブロック、およびＲｘ−ブロックのそれぞれ中の、同じそれぞれのＯＦＤＭシンボルの位置に、リソースエレメントが割り振られる。例えば、特定のＴＣＣＨスロットでは、ＣＩＤ＝４を有するリンクには、ブロックＨのＴｘｐ−ブロック中のリソースエレメント６０２と、ブロックＨのＴｘ−ブロック中のリソースエレメント６０４と、ブロックＨのＲｘ−ブロック中のリソースエレメント６０６とが割り振られてもよい。Ｔｘｐ−ブロック、Ｔｘ−ブロックおよびＲｘ−ブロックに対する、割り振られたリソースエレメントのトリオは、副搬送波（例えば、ｋ本の異なる副搬送波）と、各ＴＣＣＨスロット中のそれぞれのＯＦＤＭシンボル（例えば、ブロックＨ中の４個とブロックＬ中の４個の、８個の異なるＯＦＤＭシンボル）とに対して変化する。
【００２１】
リンクに割り振られたリソースエレメントのトリオは、リンクの媒体アクセス優先順位を規定する。例えば、リソースエレメント６０２、６０４、６０６のトリオは、ｉ＝２およびｊ＝１に対応している。媒体アクセス優先順位は、ｋｉ＋ｊ＋１に等しく、ここで、ｉは、Ｔｘｐ、ＴｘおよびＲｘサブブロックのそれぞれにおける、それぞれのＯＦＤＭシンボルであり、ｊは、副搬送波であり、ｋは、副搬送波の数である。したがって、ｋ＝２８と仮定すると、リソースエレメント６０２、６０４、６０６は、５８の媒体アクセス優先順位に対応する。
【００２２】
図７Ａは、ワイヤレス通信デバイス１００のための、例示的な接続スケジューリングシグナリングスキームを説明する第１のダイヤグラムである。図７Ａ中で示されているように、ワイヤレスノードａ１（Ｎａ１）は、ワイヤレスノードｂ１（Ｎｂ１）と通信しており、ワイヤレスノードａ２（Ｎａ２）は、ワイヤレスノードｂ２（Ｎｂ２）と通信しており、ワイヤレスノードａ３（Ｎａ３）は、ワイヤレスノードｂ３（Ｎｂ３）と通信している。ワイヤレスノードＮａ１は、ワイヤレスノードＮｂ１より高い送信優先順位を持つと仮定されており、ワイヤレスノードＮａ２は、ワイヤレスノードＮｂ２より高い送信優先順位を持つと仮定されており、ワイヤレスノードＮａ３は、ワイヤレスノードＮｂ３より高い送信優先順位を持つと仮定されている。リンクのそれぞれは、通信のための特定のスロットに依存している異なる媒体アクセス優先順位を持っている。通信のための特定のスロットに対して、リンク１（Ｎａ１、Ｎｂ１）は、２の媒体アクセス優先順位を持つと仮定されており、リンク２（Ｎａ２、Ｎｂ２）は、１の媒体アクセス優先順位を持つと仮定されており、リンク３（Ｎａ３、Ｎｂ３）は、７の媒体アクセス優先順位を持つと仮定されている。
【００２３】
図７Ｂは、ワイヤレス通信デバイス１００のための、例示的な接続スケジューリングシグナリングスキームを説明する第２のダイヤグラムである。図７Ｂは、接続スケジューリングサブチャネルにおける、（媒体アクセス優先順位１ないしｋに対応している）ブロックＨ中の、Ｔｘｐ、ＴｘおよびＲｘサブブロックの第１のそれぞれのＯＦＤＭシンボル（ｉ＝０、図６参照）の接続スケジューリングリソースを示している。接続スケジューリングリソースは、複数の副搬送波を含み、副搬送波のそれぞれは、ｋ個の周波数帯域のうちの１つに対応している。周波数帯域のそれぞれは、特定の媒体アクセス優先順位に対応している。接続スケジューリングリソース中の１つのブロックは、３つのサブブロック／フェーズ：Ｔｘｐ、ＴｘおよびＲｘに分けられる。Ｔｘｐ−ブロックは、送信優先順位を持つノードが送信機または受信機として機能するか否かを示すために、リンクにおける送信優先順位を持つノードによって使用される。送信優先順位を持つノードが、Ｔｘｐ−ブロックにおける割り振られているＯＦＤＭシンボル上で送信する場合に、送信優先順位を持つノードが、送信機として機能する意図を、送信優先順位を持たないノードに示す。送信優先順位を持つノードが、Ｔｘｐ−ブロックにおける割り振られているＯＦＤＭシンボル上で送信しない場合、送信優先順位を持つノードは、受信機として機能する意図を、送信優先順位を持たないノードに示す。Ｔｘ−ブロックは、スケジューリングするように要求を行うために潜在的な送信機によって使用される。送信機は、トラフィックチャネル（すなわち、データセグメント）に対して使用される電力に等しい電力で、Ｔｘ−ブロックにおける割り振られているＯＦＤＭシンボル上でダイレクト電力信号を送信する。各潜在的な受信機は、Ｔｘ−ブロック中のトーンをリスンし、Ｔｘ−ブロックのそれぞれ上での受信電力を、それ自体のリンクの送信機に割り振られているＴｘ−ブロック上での受信電力と比較し、他のリンク媒体アクセス優先順位に対する、それ自体のリンク媒体アクセス優先順位と、比較とに基づいてＲｘ降伏するか否かを決定する。Ｒｘ−ブロックは、潜在的な受信機によって使用される。受信機がＲｘ降伏することを選んだ場合、受信機は、Ｒｘ−ブロックにおける割り振られているＯＦＤＭシンボル中で送信しない；そうでなければ、受信機は、Ｒｘ−ブロックにおける割り振られているＯＦＤＭシンボル中で、それ自体のリンクの送信機から受信したダイレクト電力信号の電力の逆に比例する電力で、逆エコー電力信号を送信する。送信機のすべてが、Ｒｘ−ブロック中のトーンをリスンして、Ｔｘ降伏するか否かを決定する。
【００２４】
接続スケジューリングシグナリングスキームを、最も良く例と併せて記述する。ノードＮａ２は、送信するデータを持っておらず、媒体アクセス優先順位１に対するＴｘｐ−ブロック中で送信せず、ノードＮａ１は、送信するデータを持っており、媒体アクセス優先順位２に対するＴｘｐ−ブロック中で送信し、ノードＮａ３は、送信するデータを持っており、媒体アクセス優先順位７に対するＴｘｐ−ブロック中で送信する。ノードＮｂ２は、送信するデータを持っており、媒体アクセス優先順位１に対するＴｘ−ブロック中で送信し、ノードＮａ１は、媒体アクセス優先順位２に対するＴｘ−ブロック中で送信し、ノードＮａ３は、媒体アクセス優先順位７に対するＴｘ−ブロック中で送信する。ノードＮａ２は、Ｔｘ−ブロック中のトーンをリスンし、ノードＮａ２が最高の優先順位を有しているので、媒体アクセス優先順位１に対するＲｘ−ブロック中で送信することを決定する。ノードＮｂ１は、Ｔｘ−ブロック中のトーンをリスンし、そのリンクが、より高い媒体アクセス優先順位を有しているリンク２と干渉しないであろうことを決定し、媒体アクセス優先順位２に対するＲｘ−ブロック中で送信する。ノードＮｂ３は、Ｔｘ−ブロック中のトーンをリスンし、そのリンクがリンク１および／またはリンク２と干渉するであろうことを決定し、媒体アクセス優先順位７に対するＲｘ−ブロック中で送信しないことによってＲｘ降伏する。リンク１および／またはリンク２の両方は、より高い媒体アクセス優先順位を有している。それに続いて、Ｎｂ２およびＮａ１の両方が、データを送信するか否かを決定するために、Ｒｘブロック中のトーンをリスンする。Ｎｂ２がＮａ１よりも高いリンク媒体アクセス優先順位を有しているので、Ｎｂ２は、そのデータを送信する。Ｎａ１が、その送信は、Ｎｂ２からの送信と干渉するだろうことを決定した場合、Ｎａ１は、Ｔｘ降伏するだろう。
【００２５】
図８Ａは、ＣＩＤの衝突を検出するための例示的な方法を説明する第１のダイヤグラムである。図８Ｂは、ＣＩＤの衝突を検出するための例示的な方法を説明する第２のダイヤグラムである。図８Ａ中で示されているように、第１のリンク（リンク１）では、送信優先順位を持つワイヤレスノードＮAが、ワイヤレスノードＮBと通信しており、第２のリンク（リンク２）では、送信優先順位を持つワイヤレスノードＮCが、ワイヤレスノードＮDと通信している。リンク１およびリンク２の両方とも、同じＣＩＤを持っていると仮定する。したがって、接続スケジューリングのために、リンク１およびリンク２の両方は、同じＴｘｐ、ＴｘおよびＲｘサブブロックを利用するだろう。図８Ｂ中で説明されているように、特定のＴＣＣＨスロット中で、リンク１およびリンク２は、両方とも、リソース８５２を利用している。例示的な方法にしたがって、ワイヤレスノードＮA、ＮB、ＮCおよびＮDは、接続スケジューリングのＴｘｐ、Ｔｘ、ＲｘまたはＡＣＫセグメント中で、予期しない信号を検出したときに、ＣＩＤの衝突を検出する。予期しない信号は、別のリンクにおけるワイヤレスノードから受信される。
【００２６】
第１の例では、ＮAは、ＮBに送信するデータ８６０を持っていないので、Ｔｘｐフェーズ８５４中で送信しないと仮定する。ＮBも、送信優先順位を持たないので、ＮBはＴｘｐフェーズ８５４中で送信しない。ＮCが、Ｔｘｐフェーズ８５４中で送信し、ＮAがＴｘｐ送信８５４を受信した場合、ＮAは、そのリソースを使用している、ＮB以外の別のノードが存在すると決定し、したがって、ＣＩＤの衝突を検出するだろう。
【００２７】
第２の例では、ＮAおよびＮCの両方とも、送信するデータ８６０を持たないので、Ｔｘｐフェーズ８５４中で送信せず、ＮBは、送信するデータ８６０を持たないので、Ｔｘフェーズ８５６中で送信せず、ＮDは、送信するデータ８６０を持っており、Ｔｘフェーズ８５６中で送信すると仮定する。ＮBが、Ｔｘ送信８５６を受信した場合、ＮBは、そのリソースを使用している、ＮA以外の別のノードが存在していると決定し、したがって、ＣＩＤの衝突を検出するだろう。
【００２８】
第３の例では、ＮAおよびＮCの両方とも、送信するデータ８６０を持たないので、Ｔｘｐフェーズ８５４中で送信せず、ＮBは、送信するデータ８６０を持たないので、Ｔｘフェーズ８５６中で送信せず、ＮDは、送信するデータ８６０を持っており、Ｔｘフェーズ８５６中で送信し、ＮBは、ＮDによるＴｘ送信８５６を受信せず、ＮCは、ＮDによるＴｘ送信８５６に応答してＲｘフェーズ８５８中で送信すると仮定する。ＮAまたはＮBのいずれかが、ＮCによるＲｘ送信８５８を受信した場合、ワイヤレスノードは、そのリソースを使用している、別のリンク中で別のノードが存在すると決定し、したがって、ＣＩＤの衝突を検出するだろう。
【００２９】
第４の例では、ＮAおよびＮCの両方とも、送信するデータ８６０を持たないので、Ｔｘｐフェーズ８５４中で送信せず、ＮBは、送信するデータ８６０を持たないので、Ｔｘフェーズ８５６中で送信せず、ＮDは、送信するデータを持ち、Ｔｘフェーズ８５６中で送信すると仮定する。ＮAがＮDからＴｘ送信８５６を受信した場合、Ｔｘ送信８５６はＮBからのものであったとＮAは考えるかもしれない。ＮAが、Ｒｘ降伏することを決定し、それゆえに、Ｒｘフェーズ８５８中でＮBに送信せず、ＮCが、ＮDによるＴｘ送信８５６に応答してＲｘフェーズ８５８中でＮBに送信し、ＮAが、Ｒｘ送信８５８を受信した場合、ＮAは、そのリソースを使用している、ＮB以外の別のノードが存在すると決定し、したがって、ＣＩＤの衝突を検出するだろう。
【００３０】
第５の例では、ＮAおよびＮBは送信するデータを持たず、またはさもなければ、ＮAもＮBのいずれもデータ８６０を送信しないように、それらのうちの１つがＲｘまたはＴｘ降伏すると仮定する。ＮAまたはＮBのいずれかが、ＮCまたはＮDから送信されたＨＡＲＱ−ＡＣＫ／ＮＡＣＫ８６２を受信した場合、ワイヤレスノードは、そのリソースを使用している、別のリンク中に別のノードが存在すると決定し、したがって、ＣＩＤの衝突を検出するだろう。
【００３１】
ワイヤレスノードが、接続スケジューリングの、Ｔｘｐ、Ｔｘ、ＲｘまたはＡＣＫセグメント中で、予期しない信号を受信するとき、ワイヤレスノードが、ＣＩＤの衝突を検出する付加的な可能性があるので、上記で提供した５つの例は網羅的でない。例示的な方法は、わずか１フレーム内でＣＩＤの衝突を検出する能力を、リンク中のワイヤレスノードに提供し、この１つのフレームは、約２ｍｓに対応する。したがって、ＣＩＤブロードキャストを通しての１秒のＣＩＤ検出よりも早い。ＣＩＤの衝突を検出した際、ワイヤレスノードは、次のＣＩＤブロードキャストまでの使用のために、一時的なＣＩＤを提案してもよい。次のＣＩＤブロードキャストにおいて、一時的なＣＩＤを置換するために、新しいＣＩＤが選択される。
【００３２】
上記で説明したように、ワイヤレスノードは、接続スケジューリングの、Ｔｘｐ、Ｔｘ、ＲｘまたはＡＣＫセグメント中で、予期しない信号を受信したとき、ＣＩＤの衝突を検出する。１つの構成では、ワイヤレスノードが、接続スケジューリングの、Ｔｘｐ、Ｔｘ、ＲｘまたはＡＣＫセグメント中で、予期しない信号を受信した場合、ワイヤレスノードは、予期しない信号上で受信したエネルギーが、しきい値よりも大きいか否かを決定する。このような構成では、予期しない信号上で受信したエネルギーがしきい値より大きい場合のみ、ＣＩＤの衝突が存在することを、ワイヤレスノードは決定する。他のリンクがピアツーピア通信に対する大幅な干渉を引き起こさない場合、しきい値は、同じＣＩＤを使用している他のリンクとのＣＩＤの衝突をリンクが検出しないように調整されてもよい。
【００３３】
図９は、例示的な方法のフローチャート９００である。方法は、第１のノードとピアツーピア通信しているワイヤレスデバイスによって実行される。図９中で示されているように、ワイヤレスデバイスが、第１のノードとのＣＩＤを選択する（９０２）。ワイヤレスデバイスは、その後、ＣＩＤに関係付けられているリソース上で、予期しないスケジューリング制御信号（例えば、Ｔｘｐ、Ｔｘ、またはＲｘ）を受信する（９０４）。ワイヤレスデバイスは、その後、受信したスケジューリング制御信号に基づいて、ＣＩＤに関係付けられている同じリソース上で送信している第２のノードの存在を決定する（９０６）。１つの構成では、ワイヤレスデバイスは、受信したスケジューリング制御信号のエネルギーがしきい値よりも大きいか否かを決定する（９０８）。受信したスケジューリング制御信号のエネルギーがしきい値よりも大きくない場合（９０８）、ワイヤレスデバイスは、ＣＩＤに関係付けられているリソース上で、予期しないスケジューリング制御信号をリスンし続ける（９０４）。受信したスケジューリング制御信号のエネルギーがしきい値よりも大きい場合（９０８）、ワイヤレスデバイスは、ＣＩＤの衝突を決定する（９１０）。ＣＩＤの衝突を決定し次第、ワイヤレスデバイスは、古いＣＩＤとは異なる新しいＣＩＤを選択する（９１２）。
【００３４】
上記で説明したように、ワイヤレスデバイスは、受信したスケジューリング制御信号のエネルギーがしきい値よりも大きいことに基づいて、ＣＩＤの衝突を決定してもよい。ワイヤレスデバイスは、受信したスケジューリング制御信号のエネルギーがしきい値よりも大きいか否かを決定することと、エネルギーが、しきい値よりも大きいと決定されたときにＣＩＤの衝突を決定することとによってＣＩＤの衝突を決定してもよい。
【００３５】
１つの構成では、送信の優先順位を持つワイヤレスデバイスが、Ｔｘｐフェーズ中で送信しないことによって、送信しない意図を第１のノードに通知する。このような構成では、ワイヤレスデバイスは、第２のノードから、送信する意図を受信する（すなわち、スケジューリング制御信号は、第２のノードから受信したＴｘｐ送信である）。送信する意図は、リソース上で送信することによって通信され、送信しない意図は、リソース上で送信しないことによって通信される。１つの構成では、送信の優先順位を持たない（したがって、第１のノードからのＴｘｐフェーズ中の信号をリスンする）ワイヤレスデバイスは、第１のノードから、送信しない意図を受信する（すなわち、ワイヤレスデバイスは、第１のノードから、Ｔｘｐフェーズ中で信号を受信しない）。このような構成では、ワイヤレスデバイスは、送信要求（すなわち、Ｔｘ送信）を第１のノードに送信しないことを決定し、第２のノードから送信要求を受信する（すなわち、スケジューリング制御信号は、第２のノードから受信したＴｘ送信である）。１つの構成では、ワイヤレスデバイスは、送信要求（すなわち、Ｔｘ送信）を第１のノードに送信せず、第２のノードから送信要求応答を受信する（すなわち、スケジューリング制御信号は、第２のノードから受信したＲｘ送信である）。
【００３６】
図１０は、例示的な方法のフローチャート１０００である。方法は、第１のノードとピアツーピア通信しているワイヤレスデバイスによって実行される。図１０中で示されているように、ワイヤレスデバイスが、第１のノードとのＣＩＤを選択する（１００２）。ワイヤレスデバイスは、その後、ＣＩＤに関係付けられているリソース上で、予期しないデータ確認信号（例えば、ＨＡＲＱ−ＡＣＫ／ＮＡＣＫ）を受信する（１００４）。ワイヤレスデバイスは、その後、受信したデータ確認信号に基づいて、ＣＩＤに関係付けられている同じリソース上で送信している第２のノードの存在を決定する（１００６）。１つの構成では、ワイヤレスデバイスは、受信したデータ確認信号のエネルギーがしきい値よりも大きいか否かを決定する（１００８）。受信したデータ確認信号のエネルギーがしきい値よりも大きくない場合（１００８）、ワイヤレスデバイスは、ＣＩＤに関係付けられているリソース上で、予期しないデータ確認信号をリスンし続ける（１００４）。受信したデータ確認信号のエネルギーがしきい値よりも大きい場合（１００８）、ワイヤレスデバイスは、ＣＩＤの衝突を決定する（１０１０）。ＣＩＤの衝突を決定し次第、ワイヤレスデバイスは、古いＣＩＤとは異なる新しいＣＩＤを選択する（１０１２）。１つの構成では、ワイヤレスデバイスは、データを受信または送信せず、受信したデータ確認信号は、ＨＡＲＱ−ＡＣＫ／ＮＡＣＫである。
【００３７】
図１１は、例示的な装置１００の機能性を図示している概念ブロックダイヤグラム１１００である。装置１００は、第１のノードとのＣＩＤを選択するモジュール１１０２を備えている。加えて、装置１００は、ＣＩＤに関係付けられているリソース上でスケジューリング制御信号を受信するモジュール１１０４を備えている。さらには、装置１００は、受信したスケジューリング制御信号に基づいて、ＣＩＤに関係付けられている同じリソース上で送信している第２のノードの存在を決定するモジュール１１０６を備えている。
【００３８】
図１２は、例示的な装置１００の機能性を図示している概念ブロックダイヤグラム１２００である。装置１００は、第１のノードとのＣＩＤを選択するモジュール１２０２を備えている。加えて、装置１００は、ＣＩＤに関係付けられているリソース上で、データ確認信号を受信するモジュール１２０４を備えている。さらには、装置１００は、受信したデータ確認信号に基づいて、ＣＩＤに関係付けられている同じリソース上で送信している第２のノードの存在を決定するモジュール１１０６を備えている。
【００３９】
図１に戻ると、１つの構成では、ワイヤレス通信のための装置１００は、第１のノードとの接続識別子を選択する手段と、接続識別子に関係付けられているリソース上でスケジューリング制御信号を受信する手段と、受信したスケジューリング制御信号に基づいて、接続識別子に関係付けられている同じリソース上で送信している第２のノードの存在を決定する手段とを備える。１つの構成では、装置１００は、接続識別子に関係付けられている同じリソース上で送信している第２のノードの存在を決定し次第、接続識別子の衝突を決定する手段をさらに備える。１つの構成では、装置１００は、接続識別子の衝突を決定し次第、前記接続識別子とは異なる新しい接続識別子を選択する手段をさらに備える。１つの構成では、接続識別子の衝突を決定する手段は、受信したスケジューリング制御信号のエネルギーがしきい値よりも大きいことに基づいて決定を行う。１つの構成では、接続識別子の衝突を決定する手段は、受信したスケジューリング制御信号のエネルギーがしきい値よりも大きいか否かを決定する手段と、エネルギーがしきい値よりも大きいと決定されたときに接続識別子の衝突を決定する手段とを備える。１つの構成では、装置１００は、送信しない意図を第１のノードに通知する手段をさらに備える。１つの構成では、装置１００は、送信しない意図を第１のノードから受信する手段と、送信要求を第１のノードに送信しないことを決定する手段とをさらに備える。１つの構成では、装置１００は、送信要求を第１のノードに送信しない手段をさらに備える。前述した手段は、前述した手段によって列挙されている機能を実行するように構成されている処理システム１１４である。
【００４０】
別の構成では、ワイヤレス通信のための装置１００は、第１のノードとの接続識別子を選択する手段と、接続識別子に関係付けられているリソース上で、データ確認信号を受信する手段と、受信したデータ確認信号に基づいて、接続識別子に関係付けられている同じリソース上で送信している第２のノードの存在を決定する手段とを備える。１つの構成では、装置１００は、データを受信または送信しない手段をさらに備える。１つの構成では、装置１００は、接続識別子に関係付けられている同じリソース上で送信している第２のノードの存在を決定し次第、接続識別子の衝突を決定する手段をさらに備える。１つの構成では、装置１００は、接続識別子の衝突を決定し次第、前記接続識別子とは異なる新しい接続識別子を選択する手段をさらに備える。１つの構成では、接続識別子の衝突を決定する手段は、データ確認信号のエネルギーがしきい値よりも大きいか否かを決定する手段と、エネルギーがしきい値よりも大きいと決定されたときに、接続識別子の衝突を決定する手段とを備える。前述した手段は、前述した手段によって列挙されている機能を実行するように構成されている処理システム１１４である。
【００４１】
開示したプロセスにおけるステップの特定の順序または階層は、例示的なアプローチの説明であることが理解される。設計選択に基づいて、プロセスにおけるステップの特定の順序または階層は再配置してもよいことが理解される。付随する方法の特許請求の範囲は、さまざまなステップの要素をサンプルの順序で提示しており、提示した特定の順序または階層に限定されることを意味していない。
【００４２】
先の説明は、当業者が、ここで記述したさまざまな態様を実施できるように提供されている。これらの態様に対するさまざまな改良は、当業者に容易に明らかになり、ここで規定した一般的原理は他の態様に適用してもよい。したがって、特許請求の範囲は、ここで示した態様に限定されることを意図しているものではなく、特許請求の範囲の文言と矛盾しない全範囲に一致させるべきである。要素への単数での参照は、単数であると特に述べられていない限り、“１つおよび１つのみ”を意味することを意図しているのではなく、むしろ“１つ以上の”を意味することを意図している。特に述べられていない限り、“いくつかの”という用語は、１つ以上のことを意味する。当業者に知られ、または後に知られることになる本開示全体に記述されているさまざまな態様の要素のすべての構成的および機能的な均等物は、ここで参照により明確に組み込まれ、特許請求の範囲によって含まれることを意図している。さらに、ここで開示したものが、特許請求の範囲中で明示的に列挙されているか否かにかかわらず、公共に捧げられることを意図していない。どの請求項の要素も、要素が“する手段”というフレーズを用いて明示的に列挙されない限り、または方法の請求項のケースでは、要素が“するステップ”というフレーズを用いて列挙されない限り、合衆国法典第３５部１１２条第６パラグラフの規定のもとで解釈すべきではない。
以下に、出願当初の特許請求の範囲に記載された発明を付記する。
［Ｃ１］
ワイヤレスデバイスを動作させる方法において、
第１のノードとの接続識別子を選択することと、
前記接続識別子に関係付けられているリソース上で、スケジューリング制御信号を受信することと、
前記受信したスケジューリング制御信号に基づいて、前記接続識別子に関係付けられている同じリソース上で送信している第２のノードの存在を決定することとを含む方法。
［Ｃ２］
前記接続識別子に関係付けられている同じリソース上で送信している前記第２のノードの存在を決定し次第、前記接続識別子の衝突を決定することをさらに含むＣ１記載の方法。
［Ｃ３］
前記接続識別子の衝突を決定し次第、前記接続識別子とは異なる新しい接続識別子を選択することをさらに含むＣ２記載の方法。
［Ｃ４］
前記接続識別子の衝突を決定することは、前記受信したスケジューリング制御信号のエネルギーがしきい値よりも大きいことに基づいているＣ２記載の方法。
［Ｃ５］
前記接続識別子の衝突を決定することは、
前記受信したスケジューリング制御信号のエネルギーが前記しきい値よりも大きいか否かを決定することと、
前記エネルギーが前記しきい値よりも大きいと決定されたときに、前記接続識別子の衝突を決定することとを含むＣ４記載の方法。
［Ｃ６］
送信しない意図を前記第１のノードに通知することをさらに含み、前記スケジューリング制御信号を受信することは、送信する意図を前記第２のノードから受信することを含むＣ１記載の方法。
［Ｃ７］
前記意図は、前記リソース上で送信することによって、または、前記リソース上で送信しないことによって通信されるＣ６記載の方法。
［Ｃ８］
送信しない意図を前記第１のノードから受信することと、
送信要求を前記第１のノードに送信しないことを決定することとをさらに含み、
前記スケジューリング制御信号を受信することは、送信要求を前記第２のノードから受信することを含むＣ１記載の方法。
［Ｃ９］
送信要求を前記第１のノードに送信しないことをさらに含み、
前記スケジューリング制御信号を受信することは、送信要求応答を前記第２のノードから受信することを含むＣ１記載の方法。
［Ｃ１０］
ワイヤレスデバイスを動作させる方法において、
第１のノードとの接続識別子を選択することと、
前記接続識別子に関係付けられているリソース上で、データ確認信号を受信することと、
前記受信したデータ確認信号に基づいて、前記接続識別子に関係付けられている同じリソース上で送信している第２のノードの存在を決定することとを含む方法。
［Ｃ１１］
データを受信または送信しないことをさらに含み、
前記受信したデータ確認信号は、ハイブリッド自動再送要求肯定応答または否定応答であるＣ１０記載の方法。
［Ｃ１２］
前記接続識別子に関係付けられている同じリソース上で送信している前記第２のノードの存在を決定し次第、前記接続識別子の衝突を決定することをさらに含むＣ１０記載の方法。
［Ｃ１３］
前記接続識別子の衝突を決定し次第、前記接続識別子とは異なる新しい接続識別子を選択することをさらに含むＣ１２記載の方法。
［Ｃ１４］
前記接続識別子の衝突を決定することは、前記受信したデータ確認信号のエネルギーがしきい値よりも大きいことに基づいているＣ１２記載の方法。
［Ｃ１５］
前記接続識別子の衝突を決定することは、
前記データ確認信号のエネルギーが前記しきい値よりも大きいか否かを決定することと、
前記エネルギーが前記しきい値よりも大きいと決定されたときに、前記接続識別子の衝突を決定することとを含むＣ１４記載の方法。
［Ｃ１６］
ワイヤレス通信のための装置において、
第１のノードとの接続識別子を選択する手段と、
前記接続識別子に関係付けられているリソース上で、スケジューリング制御信号を受信する手段と、
前記受信したスケジューリング制御信号に基づいて、前記接続識別子に関係付けられている同じリソース上で送信している第２のノードの存在を決定する手段とを具備する装置。
［Ｃ１７］
前記接続識別子に関係付けられている同じリソース上で送信している前記第２のノードの存在を決定し次第、前記接続識別子の衝突を決定する手段をさらに具備するＣ１６記載の装置。
［Ｃ１８］
前記接続識別子の衝突を決定し次第、前記接続識別子とは異なる新しい接続識別子を選択する手段をさらに具備するＣ１７記載の装置。
［Ｃ１９］
前記接続識別子の衝突を決定する手段は、前記受信したスケジューリング制御信号のエネルギーがしきい値よりも大きいことに基づいて前記決定を行うＣ１７記載の装置。
［Ｃ２０］
前記接続識別子の衝突を決定する手段は、
前記受信したスケジューリング制御信号のエネルギーが前記しきい値よりも大きいか否かを決定する手段と、
前記エネルギーが前記しきい値よりも大きいと決定されたときに、前記接続識別子の衝突を決定する手段とを備えるＣ１９記載の装置。
［Ｃ２１］
送信しない意図を前記第１のノードに通知する手段をさらに具備し、前記スケジューリング制御信号を受信する手段は、送信する意図を前記第２のノードから受信するＣ１６記載の装置。
［Ｃ２２］
前記意図は、前記リソース上で送信することによって、または、前記リソース上で送信しないことによって通信されるＣ２１記載の装置。
［Ｃ２３］
送信しない意図を前記第１のノードから受信する手段と、
送信要求を前記第１のノードに送信しないことを決定する手段とをさらに具備し、
前記スケジューリング制御信号を受信する手段は、送信要求を前記第２のノードから受信するＣ１６記載の装置。
［Ｃ２４］
送信要求を前記第１のノードに送信しない手段をさらに具備し、
前記スケジューリング制御信号を受信する手段は、送信要求応答を前記第２のノードから受信するＣ１６記載の装置。
［Ｃ２５］
ワイヤレス通信のための装置において、
第１のノードとの接続識別子を選択する手段と、
前記接続識別子に関係付けられているリソース上で、データ確認信号を受信する手段と、
前記受信したデータ確認信号に基づいて、前記接続識別子に関係付けられている同じリソース上で送信している第２のノードの存在を決定する手段とを具備する装置。
［Ｃ２６］
データを受信または送信しない手段をさらに具備し、
前記受信したデータ確認信号は、ハイブリッド自動再送要求肯定応答または否定応答であるＣ２５記載の装置。
［Ｃ２７］
前記接続識別子に関係付けられている同じリソース上で送信している前記第２のノードの存在を決定し次第、前記接続識別子の衝突を決定する手段をさらに具備するＣ２５記載の装置。
［Ｃ２８］
前記接続識別子の衝突を決定し次第、前記接続識別子とは異なる新しい接続識別子を選択する手段をさらに具備するＣ２７記載の装置。
［Ｃ２９］
前記接続識別子の衝突を決定する手段は、前記受信したデータ確認信号のエネルギーがしきい値よりも大きいことに基づいて前記決定を行うＣ２７記載の装置。
［Ｃ３０］
前記接続識別子の衝突を決定する手段は、
前記データ確認信号のエネルギーが前記しきい値よりも大きいか否かを決定する手段と、
前記エネルギーが前記しきい値よりも大きいと決定されたときに、前記接続識別子の衝突を決定する手段とを備えるＣ２９記載の装置。
［Ｃ３１］
ワイヤレスデバイスにおけるコンピュータプログラムプロダクトにおいて、
第１のノードとの接続識別子を選択し、
前記接続識別子に関係付けられているリソース上で、スケジューリング制御信号を受信し、
前記受信したスケジューリング制御信号に基づいて、前記接続識別子に関係付けられている同じリソース上で送信している第２のノードの存在を決定するためのコードを含むコンピュータ読み取り可能媒体を具備するコンピュータプログラムプロダクト。
［Ｃ３２］
前記コンピュータ読み取り可能媒体は、前記接続識別子に関係付けられている同じリソース上で送信している前記第２のノードの存在を決定し次第、前記接続識別子の衝突を決定するためのコードをさらに含むＣ３１記載のコンピュータプログラムプロダクト。
［Ｃ３３］
前記コンピュータ読み取り可能媒体は、前記接続識別子の衝突を決定し次第、前記接続識別子とは異なる新しい接続識別子を選択するためのコードをさらに含むＣ３２記載のコンピュータプログラムプロダクト。
［Ｃ３４］
前記接続識別子の衝突を決定するためのコードは、前記受信したスケジューリング制御信号のエネルギーがしきい値よりも大きいことに基づいて前記決定を行うＣ３２記載のコンピュータプログラムプロダクト。
［Ｃ３５］
前記接続識別子の衝突を決定するためのコードは、
前記受信したスケジューリング制御信号のエネルギーが前記しきい値よりも大きいか否かを決定し、
前記エネルギーが前記しきい値よりも大きいと決定されたときに、前記接続識別子の衝突を決定するためのコードを含むＣ３４記載のコンピュータプログラムプロダクト。
［Ｃ３６］
前記コンピュータ読み取り可能媒体は、送信しない意図を前記第１のノードに通知するためのコードをさらに含み、前記スケジューリング制御信号を受信するためのコードは、送信する意図を前記第２のノードから受信するＣ３１記載のコンピュータプログラムプロダクト。
［Ｃ３７］
前記意図は、前記リソース上で送信することによって、または、前記リソース上で送信しないことによって通信されるＣ３６記載のコンピュータプログラムプロダクト。
［Ｃ３８］
前記コンピュータ読み取り可能媒体は、
送信しない意図を前記第１のノードから受信し、
送信要求を前記第１のノードに送信しないことを決定するためのコードをさらに含み、
前記スケジューリング制御信号を受信するためのコードは、送信要求を前記第２のノードから受信するＣ３１記載のコンピュータプログラムプロダクト。
［Ｃ３９］
前記コンピュータ読み取り可能媒体は、送信要求を前記第１のノードに送信しないためのコードをさらに含み、
前記スケジューリング制御信号を受信するためのコードは、送信要求応答を前記第２のノードから受信するＣ３１記載のコンピュータプログラムプロダクト。
［Ｃ４０］
ワイヤレスデバイスにおけるコンピュータプログラムプロダクトにおいて、
第１のノードとの接続識別子を選択し、
前記接続識別子に関係付けられているリソース上で、データ確認信号を受信し、
前記受信したデータ確認信号に基づいて、前記接続識別子に関係付けられている同じリソース上で送信している第２のノードの存在を決定するためのコードを含むコンピュータ読み取り可能媒体を具備するコンピュータプログラムプロダクト。
［Ｃ４１］
前記コンピュータ読み取り可能媒体は、データを受信または送信しないためのコードをさらに含み、
前記受信したデータ確認信号は、ハイブリッド自動再送要求肯定応答または否定応答であるＣ４０記載のコンピュータプログラムプロダクト。
［Ｃ４２］
前記コンピュータ読み取り可能媒体は、前記接続識別子に関係付けられている同じリソース上で送信している前記第２のノードの存在を決定し次第、前記接続識別子の衝突を決定するためのコードをさらに含むＣ４０記載のコンピュータプログラムプロダクト。
［Ｃ４３］
前記コンピュータ読み取り可能媒体は、前記接続識別子の衝突を決定し次第、前記接続識別子とは異なる新しい接続識別子を選択するためのコードをさらに含むＣ４２記載のコンピュータプログラムプロダクト。
［Ｃ４４］
前記接続識別子の衝突を決定するためのコードは、前記受信したデータ確認信号のエネルギーがしきい値よりも大きいことに基づいて前記決定を行うＣ４２記載のコンピュータプログラムプロダクト。
［Ｃ４５］
前記接続識別子の衝突を決定するためのコードは、
前記データ確認信号のエネルギーが前記しきい値よりも大きいか否かを決定し、
前記エネルギーが前記しきい値よりも大きいと決定されたときに、前記接続識別子の衝突を決定するためのコードを含むＣ４４記載のコンピュータプログラムプロダクト。
［Ｃ４６］
ワイヤレス通信のための装置において、
第１のノードとの接続識別子を選択し、
前記接続識別子に関係付けられているリソース上で、スケジューリング制御信号を受信し、
前記受信したスケジューリング制御信号に基づいて、前記接続識別子に関係付けられている同じリソース上で送信している第２のノードの存在を決定するように構成されている処理システムを具備する装置。
［Ｃ４７］
前記処理システムは、前記接続識別子に関係付けられている同じリソース上で送信している前記第２のノードの存在を決定し次第、前記接続識別子の衝突を決定するようにさらに構成されているＣ４６記載の装置。
［Ｃ４８］
前記処理システムは、前記接続識別子の衝突を決定し次第、前記接続識別子とは異なる新しい接続識別子を選択するようにさらに構成されているＣ４７記載の装置。
［Ｃ４９］
前記接続識別子の衝突を決定するために、前記処理システムは、前記受信したスケジューリング制御信号のエネルギーがしきい値よりも大きいことに基づいて前記決定を行うように構成されているＣ４７記載の装置。
［Ｃ５０］
前記接続識別子の衝突を決定するために、前記処理システムは、
前記受信したスケジューリング制御信号のエネルギーが前記しきい値よりも大きいか否かを決定し、
前記エネルギーが前記しきい値よりも大きいと決定されたときに、前記接続識別子の衝突を決定するように構成されているＣ４９記載の装置。
［Ｃ５１］
前記処理システムは、送信しない意図を前記第１のノードに通知するようにさらに構成されており、前記スケジューリング制御信号を受信するために、前記処理システムは、送信する意図を前記第２のノードから受信するように構成されているＣ４６記載の装置。
［Ｃ５２］
前記意図は、前記リソース上で送信することによって、または、前記リソース上で送信しないことによって通信されるＣ５１記載の装置。
［Ｃ５３］
前記処理システムは、
送信しない意図を前記第１のノードから受信し、
送信要求を前記第１のノードに送信しないことを決定するようにさらに構成されており、
前記スケジューリング制御信号を受信するために、前記処理システムは、送信要求を前記第２のノードから受信するように構成されているＣ４６記載の装置。
［Ｃ５４］
前記処理システムは、送信要求を前記第１のノードに送信しないようにさらに構成されており、
前記スケジューリング制御信号を受信するために、前記処理システムは、送信要求応答を前記第２のノードから受信するように構成されているＣ４６記載の装置。
［Ｃ５５］
ワイヤレス通信のための装置において、
第１のノードとの接続識別子を選択し、
前記接続識別子に関係付けられているリソース上で、データ確認信号を受信し、
前記受信したデータ確認信号に基づいて、前記接続識別子に関係付けられている同じリソース上で送信している第２のノードの存在を決定するように構成されている処理システムを具備する装置。
［Ｃ５６］
前記処理システムは、データを受信または送信しないようにさらに構成されており、
前記受信したデータ確認信号は、ハイブリッド自動反復要求肯定応答または否定応答であるＣ５５記載の装置。
［Ｃ５７］
前記処理システムは、前記接続識別子に関係付けられている同じリソース上で送信している前記第２のノードの存在を決定し次第、前記接続識別子の衝突を決定するようにさらに構成されているＣ５５記載の装置。
［Ｃ５８］
前記処理システムは、前記接続識別子の衝突を決定し次第、前記接続識別子とは異なる新しい接続識別子を選択するようにさらに構成されているＣ５７記載の装置。
［Ｃ５９］
前記接続識別子の衝突を決定するために、前記処理システムは、前記受信したデータ確認信号のエネルギーがしきい値よりも大きいことに基づいて前記決定を行うように構成されているＣ５７記載の装置。
［Ｃ６０］
前記接続識別子の衝突を決定するために、前記処理システムは、
前記データ確認信号のエネルギーが前記しきい値よりも大きいか否かを決定し、
前記エネルギーが前記しきい値よりも大きいと決定されたときに、前記接続識別子の衝突を決定するように構成されているＣ５９記載の装置。
【図１】
0005976856.tif 000002
【図２】
0005976856.tif 000003
【図３】
0005976856.tif 000004
【図４】
0005976856.tif 000005
【図５】
0005976856.tif 000006
【図６】
0005976856.tif 000007
【図７Ａ】
0005976856.tif 000008
【図７Ｂ】
0005976856.tif 000009
【図８Ａ】
0005976856.tif 000010
【図８Ｂ】
0005976856.tif 000011
【図９】
0005976856.tif 000012
【図１０】
0005976856.tif 000013
【図１１】
0005976856.tif 000014
【図１２】
0005976856.tif 000015